【事件の表示】
　異議２０００−７２３５５号についてした平成１３年１月３０日付けの異議決定に対し、東京高等裁判所において、決定中請求項８に係る特許を取り消した部分を取り消す旨の判決（平成１３年（行ケ）第１０８号）、平成１５年１月３０日判決言渡）があったので、更に審理の結果、請求項８に係る特許について次のとおり決定する。　
【結　論】
　特許第２９８８９１２号の請求項８に係る特許を維持する。
【理　由】
１．手続の経緯 
　本件特許第２９８８９１２号の請求項１〜１３に係る発明についての出願は、平成１０年７月９日に特許出願され（優先件主張：平成９年７月１１日）、平成１１年１０月８日にその発明について特許の設定登録がなされ、その後、その特許について特許異議申立人杉山邦子より特許異議申立てがなされ、取消理由が通知され、その指定期間内である平成１２年１１月１４日に訂正請求がなされ、平成１３年１月３０日に同訂正請求に係る訂正を認めるとともに、請求項１〜７に係る特許を維持し、請求項８に係る特許を取り消す旨の異議決定がなされたのに対し、特許権者により同決定を取り消す旨東京高等裁判所に出訴がなされ、これに対し、平成１５年１月３０日に東京高等裁判所において、同決定中、請求項８に係る特許を取り消した部分を取り消す旨の判決がなされたものである。
　　　
２．本件発明
　平成１３年１月３０日にした異議決定中、訂正を認めた部分及び請求項１〜７に係る特許を維持した部分については、同決定のとおりである。
　したがって、本件特許第２９８８９１２号の請求項８に係る発明は、平成１２年１１月１４日付けの訂正明細書の特許請求の範囲の請求項８に記載されたとおりの次のものである。
　「一方の入射側光導波路と他方の出射側光導波路との間には、反射材料、偏光無依存型光アイソレータ及び第１，２，３のレンズを配置し、
　上記第１，２のレンズ間に上記反射材料を配置し、第２，３のレンズ間に上記光アイソレータを配置してあり、
　一方の入射側光導波路は、入射ポートと出射ポートとを備え、他方の出射側光導波路は出射ポートを備えており、
　上記反射材料は光路を入射側へ折り返すと共に入射光の一部を透過させるものである
ことを特徴とする光部品。」
　　　
３．特許異議の申立てについて
ア．申立ての理由の概要
　特許異議申立人は、甲第１〜３号証を提出して、本件の訂正前の請求項１〜１３に係る発明は、甲第１〜３号証刊行物に各々記載された発明に基づいて容易に発明をすることができたものであるから、特許法第２９条第２項の規定により特許を受けることができず、特許法第１１３条第１項第２号の規定により取り消されるべきものである旨主張した。
　このうち訂正後の請求項８は、訂正前の請求項１３であると認められるが、申立人は、訂正前の請求項１３に係る発明は、甲第１〜３号証刊行物に各々記載された発明に基づいて当業者が容易に発明をすることができたものである旨主張した。
イ．各刊行物に記載された発明
　特許異議申立人が甲第１号証として提出した特開平５−１８１０３５号公報（以下、刊行物１という）には、次のように記載されている。
　「波長の異なる第１及び第２信号光（λ１，λ２）を伝搬する第１光ファイバ（２１）と、第１信号光（λ１）を伝搬する第２光ファイバ（２２）と、前記第１及び第２光ファイバ（２１，２２）が挿入されるのに充分な大きさの中心穴を有し、該第１及び第２の光ファイバ（２１，２２）が挿入固定されたフェルール（２０）と、前記第１及び第２光ファイバ（２１，２２）から出射される光ビームをコリメートビームにするように配置された第１レンズ（２３）と、該第１レンズ（２３）でコリメートされた光ビームの光路に垂直な方向からわずかばかり傾いて配置された、第１信号光（λ１）を反射し第２信号光（λ２）を透過する分波膜（２５）と、該分波膜（２５）を透過した第２信号光（λ２）を集光する第２レンズ（２６）と、該第２レンズ（２６）の焦点位置にその端面が配置された第２信号光（λ２）を伝搬する第３光ファイバ（２７）とから構成され、第１光ファイバ（２１）から出射された第１信号光（λ１）が前記分波膜（２５）で反射されて第２光ファイバ（２２）に結合し、第２信号光（λ２）が該分波膜（２５）を透過して第３光ファイバ（２７）に結合することを特徴とする光分波デバイス。」（特許請求の範囲【請求項１】）
　「信号光を伝搬する入力側第１光ファイバ（３１）と、その一端が受光素子（３９）に光結合された第２光ファイバ（３２）と、前記第１及び第２光ファイバ（３１，３２）が挿入されるのに充分な大きさの中心穴を有し、該第１光ファイバ（３１）の一端及び該第２光ファイバ（３２）の他端が挿入固定されたフェルール（３０）と、前記第１及び第２光ファイバ（３１，３２）から出射されるビームをコリメートビームにするように配置された第１レンズ（３３）と、該第１レンズ（３３）でコリメートされた光ビームの光路に垂直な方向からわずかばかり傾いて配置された、第１光ファイバ（３１）から出射される信号光を所定の分岐比で反射／透過する分岐膜（３５）と、該分岐膜（３５）を透過した信号光を集光する第２レンズ（３６）と、該第２レンズ（３６）の焦点位置にその端面が配置された信号光を伝搬する出力側第３光ファイバ（３７）とから構成され、前記分岐膜（３５）で反射されて第２光ファイバ（３２）に結合された信号光の一部をモニタ光として利用することを特徴とする光分岐デバイス。」（特許請求の範囲【請求項２】）
　「前記信号光の光路に光アイソレータ（４０）が介装されていることを特徴とする請求項２に記載の光分岐デバイス。」（特許請求の範囲【請求項３】）
　「・・・・図２を参照すると、本発明の第２実施例に係る光分岐デバイスが概略的に示されている。本実施例では、上述した第１実施例の分波膜に代えて、ガラス基板３４上に形成した分岐膜３５が光路中に挿入されている。
【００２２】フェルール３０中には信号光を伝搬するシングルモード光ファイバ３１の一端と、信号光モニタ用のマルチモード光ファイバ３２の一端が挿入されて固定されている。マルチモード光ファイバ３２の他端はフォトダイオード（ＰＤ）３９に光結合されている。
【００２３】然して、光ファイバ３１を伝搬してきた信号光はレンズ３３によりコリメートビームにされて分岐膜３５に入射する。分岐膜３５は光路に垂直方向から概略１゜傾けて配置されており、所定の分岐比、例えば１：１０の分岐比で信号光の一部を反射させ、残りの信号光を透過する。」（段落【００２１】〜【００２３】）
　「【００２７】次に図３を参照すると、本発明の第３実施例に係る光分岐デバイスが概略的に示されている。本実施例の光分岐デバイスは図２に示した光分岐デバイスと類似しており、光路中に光アイソレータ４０が挿入されている点が図２に示した光分岐デバイスと相違する。・・・・・・・ 
【００２８】光アイソレータ４０は光ファイバ３７からの反射帰還光の光源側への悪影響を防止するために挿入してある。この光アイソレータ４０は特公昭６１−５８８０９号公報に開示されたような一対の楔状複屈折性結晶板を用いて偏光依存性を解消した型の光アイソレータが望ましい。他の型の光アイソレータも使用可能である。
【００２９】即ち、一対の楔状複屈折結晶板４１，４２の間にファラデー回転子４３が配置されており、複屈折結晶板４２の光学軸は複屈折結晶板４１の光学軸に対して光軸回りに４５゜回転して配置されている。
【００３０】この光アイソレータ４０によれば、逆方向の光は光アイソレータ４０により阻止されるのではなく、常光及び異常光としてそれぞれ異なる角度の屈折を受けるため、光ファイバ３１，３２に結合することはなく、光アイソレータとして有効に機能する。」（段落【００２７】〜【００３０】）
　以上の記載からすれば、刊行物１には、「第１光ファイバ（３１）を伝搬してきた信号光が第１レンズ（３３）によりコリメートビームにされて分岐膜（３５）に入射し、分岐膜（３５）は所定の分岐比で信号光の一部を反射させ、残りの信号光を透過し、分岐膜で反射した信号光が第２光ファイバに結合され、分岐膜を透過した信号光が第２レンズ（３６）で集光され、第２レンズ（３６）の焦点位置に出力側第３光ファイバ（３７）の端面が配置され、分岐膜（３５）と第２レンズ（３６）との間に一対の楔状複屈折性結晶板を用いた型で偏光依存性を解消した型の光アイソレータ（４０）が挿入されている光分岐デバイス」が記載され、また、「他の型の光アイソレータも使用可能である」と記載されているものと認められる。
　また、甲第２号証として提出した特公昭５８−２８５６１号公報（以下、刊行物２という）には、次のように記載されている。
　「２つの光導波路間に第１および第２の平板状複屈折結晶を設け、この第１および第２の複屈折結晶の間に磁化によって入射光と出射光の偏光方向が略４５゜だけ異なるように長さを決めた磁気光学材料ならびに入射光と出射光の偏光方向が略４５゜だけ異なるように長さを決めた旋光性あるいは異方性を有する結晶とを挿入し、さらに上記２つの光導波路間に１個あるいは複数個のレンズを付加するかあるいは複屈折結晶、磁気光学材料旋光性あるいは異方性を有する結晶のうち少なくとも一つの端面を曲面状にしてレンズ機能を持たせることにより一方の光導波路からの出射光が上記平板状複屈折結晶内において収束しつつある状態を呈して他方の光導波路に入射し、且つ他方の光導波路の出射光が上記平板状複屈折結晶内において発散しつつある状態を呈して一方の光導波路に入射しないように構成すると共に、上記第１および第２の平板状複屈折結晶の各々の光学軸が同一平面内に含まれるように設定したことを特徴とする光アイソレータ。」（特許請求の範囲第１項）「すなわち、第２図において８，９は光導波路となる光フアイバ、１０はレンズ、１１，１２は平板状複屈折結晶、１３は磁気光学材料、１４は旋光性あるいは異方性を有する結晶である。そして、前記レンズ１０は、一方の光フアイバからの光を収束、結像して他方の光フアイバへ入射させるはたらきを有している。」（第２頁第４欄第２３〜２９行）
　「次に以上のような構成をとる光アイソレータの動作を説明するが、ここでは光フアイバ８から光フアイバ９へ進む光に対して、磁気光学材料１３および旋光性あるいは異方性を有する結晶１４は両者とも時計方向に４５゜だけ偏光方向を変化せしめ、また２個の複屈折結晶１１，１２の光学軸は平行になるように光軸からθ（０＜θ＜９０゜）だけ傾き、結晶の厚さは一致している場合を考える。」（第２頁第４欄第４２行〜第３頁第５欄第６行）
　「以上の説明からもわかるように、第２図の構成によれば光フアイバ８からの光フアイバ９へ入射するが、光フアイバ９からの光は光フアイバ８へは入射しないため、光アイソレータとして動作させることが可能となるものである。」（第３頁第５欄第４１行〜第６欄第１行）
　さらに、甲第３号証として提出した特開平５−１７３０９０号公報（以下、刊行物３という）には、次のように記載されている。
　「無偏光形光アイソレータと、該無偏光形光アイソレータの入射光側に配置された光ファイバを有し、該光ファイバは、前記無偏光形光アイソレータの入射光の位置と異なる位置に逆方向光が出射するように配置されたことを特徴とする光カプラ。」（特許請求の範囲【請求項１】）
　「・・・・・アイソレータ内蔵型偏波合成ＷＤＭカプラの概略構成を図８に示す。図中、１１，１２は励起光の入力ポート、１３は信号光の入力ポート、１４は合成出力のポート、１５，１６，１７，１８は斜め研磨フェルール、１９，２０，２１，２２は非球面レンズ、２３はＰＢＳプリズム、２４は低域通過フィルタ、２５はＷＤＭ板、２６は偏光無依存型光アイソレータである。定偏波光ファイバ心線からポート１１，１２に入射された１．４８μｍの偏波面の異なる励起光は、ＰＢＳプリズム２３で偏波合成され、低域通過フィルタ２４を通り、ＷＤＭ板２５に入射する。ＷＤＭ板２５は、多層膜反射鏡で構成されており、波長１．４８μｍの光は透過し、波長１．５５μｍの信号光は反射するようにされている。したがって、ポート１３から入射した信号光は、ＷＤＭ板２５で励起光に波長合成され、非球面レンズ２２と斜め研磨フェルールの間に偏光無依存型光アイソレータ２６を内蔵したポート１４から出射される。・・・・」（段落【０００２】）
ウ．対比、判断
　本件の請求項８に係る発明（以下、本件第８発明という）と刊行物１に記載のものとを対比すると、刊行物１に記載のものにおける「光分岐デバイス」、「第１光ファイバ」、「第３光ファイバ」、「分岐膜」は、それぞれ本件第８発明における「光部品」、「一方の入射側光導波路」、「他方の出射側光導波路」、「反射材料」に相当するものであり、刊行物１に記載のものにおいて、光アイソレータは偏光依存性を解消した型のもの、すなわち偏光無依存型のものであり、また 図３に示される光分岐デバイスにおける素子の配置からすれば、分岐膜、光アイソレータ、第１及び第２のレンズが第１光ファイバと第３光ファイバとの間に配置されており、刊行物１に記載のものにおける「第１レンズ」、「第２レンズ」はそれぞれ本件第８発明における「第１レンズ」、「第３レンズ」に相当するものとなる。さらに、甲第１号証刊行物に記載のものにおいて、分岐膜で反射した一部の信号光が第２の光ファイバから出射し、分岐膜を透過した信号光が第３の光ファイバから出射することから、入射側光ファイバの側に入射ポート及び出射ポートを備え、出射側光ファイバの側に出射ポートを備えていることになる。
　そうすると、本件第８発明と甲第１号証刊行物に記載のものとは、「一方の入射側光導波路と他方の出射側光導波路との間には、反射材料、偏光無依存型光アイソレータ及びレンズを配置してあり、一方の入射側光導波路は、入射ポートと出射ポートとを備え、他方の出射側光導波路は出射ポートを備えており、上記反射材料は光路を入射側へ折り返すと共に入射光の一部を透過させるものである光部品」である点で共通するが、本件第８発明においては、「一方の入射側光導波路と他方の出射側光導波路との間に、第１、２、３のレンズを配置し、第１、２のレンズ間に反射材料を配置し、第２、３のレンズの間に光アイソレータを配置して」あり、第１レンズ〜第３レンズの間の光束について特に規定されていないのに対して、刊行物１に記載のものにおいては、第１光ファイバと第３光ファイバとの間に、「第１、２のレンズを配置し、第１、２のレンズ間のコリメートビームにされた光束中に分岐膜及び光アイソレータを配置して」いる点において、いい換えれば、刊行物１記載のものにおいては、分岐膜と光アイソレータとの間に第２レンズに相当するものが配置されていない点において、相違する。
　しかしながら、刊行物１に記載のものにおいて光アイソレータとして一対の楔状複屈折性結晶板を用いたものが用いられており、この光アイソレータは平行光中で用いられ、非平行光束中では使用できないものであり、そのために第１レンズによりコリメートビームにされた上で光アイソレータに入射されているのであるから、刊行物１に記載のものにおいて、平行光束となっている分岐膜と光アイソレータとの間にレンズを配置すると、光アイソレータへの入射光は平行光束でなくなり、光アイソレータとして用いられなくなる。それゆえ、刊行物１に記載のものにおいて、分岐膜と光アイソレータとの間にレンズを単に挿入することはできない。
　一方、刊行物１には、「他の型の光アイソレータも使用可能である」と記載されている。他の型の光アイソレータとしては刊行物２に示されるような平行平板型のものがあり、また、このような平行平板型の光アイソレータを平行光束でなく収束光束中に配置することも周知の事項である（例えば、特開平７−３０１７３４号公報、特開平７−２０５１２号公報、特開昭５５−１１３０２０号公報）。
　しかしながら、刊行物１には、第１レンズによりコリメートビームとした上で光アイソレータに入射させる例が示されるのみであり、一対の楔状複屈折性結晶板を用いた光アイソレータを他の型の周知の平行平板型の光アイソレータに代えたとしても、これにさらにレンズを付加することは、光アイソレータを代えることとは全く別の事項であり、別のレンズを挿入すべき理由あるいは必然性は、刊行物２に示唆するところはなく、あるいは周知の事項を勘案しても容易に想到し得るところではない。また、この点については、刊行物３に記載のものにおいても示唆するところはない。
　　　　　　
４．むすび
　以上のとおりであるから、本件第８発明は、刊行物１〜３に記載された発明に基づいて当業者が容易に発明をすることができたものではない。
　また、他に本件第８発明についての特許を取り消すべき理由を発見しない。
　よって、結論のとおり決定する。
【異議決定日】
平成１３年１月３０日（２００１．１．３０）
【訂正の要旨】
訂正の要旨
　審決（決定）の【理由】欄参照。
（５４）【発明の名称】
光部品
（５７）【特許請求の範囲】
　【請求項１】　一方の入射側光導波路と他方の出射側光導波路との間には、少なくとも２個の第１、第２の反射材料を配置し、両反射材料間に偏光無依存型光アイソレータを配置し、上記入射側光導波路と上記第１の反射材料との間に第１のレンズを、上記第１の反射材料と上記光アイソレータとの間に第２のレンズを、上記第２の反射材料と上記出射側光導波路との間に第３のレンズをそれぞれ配置してあり、上記入射側光導波路側に配置されている上記第１の反射材料は、入射側へ折り返すと共に入射光の一部を透過させるものであることを特徴とする光部品。
　【請求項２】　入出射側光導波路のいずれか一方の光導波路は、複数のポートを備えていることを特徴とする請求項１記載の光部品。
　【請求項３】　入射側光導波路側に配置されている第１の反射材料は波長分波合波器であり、出射側光導波路側に配置されている第２の反射材料は、光分岐器であることを特徴とする請求項１または請求項２記載の光部品。
　【請求項４】　一方の入射側光導波路と他方の出射側光導波路との間には、第１及び第２の反射材料を配置し、両反射材料間に偏光無依存型光アイソレータを配置し、上記入射側光導波路と上記第１の反射材料との間に第１のレンズを、上記第１の反射材料と上記光アイソレータとの間に第２のレンズを、上記第２の反射材料と出射側光導波路との間に第３のレンズをそれぞれ配置してあり、
　上記入射側光導波路は入射ポートと出射ポートとを備え、出射側光導波路に出射ポートを備えており、
　上記第１の反射材料は波長分波合波器であり、第２の反射材料は光分岐器であることを特徴とする光部品。
　【請求項５】　入射側光導波路における両ポートは、ファイバアレイで接続されていることを特徴とする請求項４記載の光部品。
　【請求項６】　一方の入射側光導波路と他方の出射側光導波路との間には、第１及び第２の反射材料を配置し、両反射材料間に偏光無依存型光アイソレータを配置し、上記入射側光導波路と上記第１の反射材料との間に第１のレンズを、上記第１の反射材料と上記光アイソレータとの間に第２のレンズを、上記第２の反射材料と出射側光導波路との間に第３のレンズをそれぞれ配置してあり、
　上記入射側光導波路は入射ポートを備え、出射側光導波路に入射ポートと出射ポートを備えており、
　上記第１の反射材料は光分岐器であり、第２の反射材料は波長分波合波器であることを特徴とする光部品。
　【請求項７】　出射側光導波路における両ポートは、ファイバアレイで接続されていることを特徴とする請求項６記載の光部品。
　【請求項８】　一方の入射側光導波路と他方の出射側光導波路との間には、反射材料、偏光無依存型光アイソレータ及び第１，２，３のレンズを配置し、
　上記第１，２のレンズ間に上記反射材料を配置し、第２，３のレンズ間に上記光アイソレータを配置してあり、
　一方の入射側光導波路は、入射ポートと出射ポートとを備え、他方の出射側光導波路は出射ポートを備えており、
　上記反射材料は光路を入射側へ折り返すと共に入射光の一部を透過させるものである
　ことを特徴とする光部品。
【発明の詳細な説明】
　【０００１】
　【発明の属する利用分野】
　この発明は、光通信用の光アンプ等に用いられる光部品に関する。
　【０００２】
　【従来の技術】
　本出願人は、光部品として光ファイバアンプ等に利用できる光部品の構造を提案した（特開平８−３０４８５５号）。
　この光部品では、光アンプ用の前段モジュールと後段モジュールとからなるものである。前段モジュールは信号光の入射側と出射側とにそれぞれ配置してあるコリメータと、両コリメータ間に配置してある無偏光ビームスプリッターと、このビームスプリッターを介して入射側コリメータからの信号光の一部を受光するフォトダイオードと、ビームスプリッターと出射側コリメータとの間に配置してある偏光無依存型光アイソレータとをそれぞれ一体に組込んでいるものであり、出射側コリメータは希土類ドープ光ファイバに接続されている。そして後段モジュールは、入射側に端子を構成している上下のコリメータが、出射側に端子を構成しているコリメータがそれぞれ配置され、入射側の上方のコリメータの出射側近傍に長波透過フィルタを配置し、この長波透過フィルタと出射側のコリメータとの間に偏光無依存型光アイソレータを、さらにこの光アイソレータと出射側のコリメータとの間にビームスプリッターをそれぞれ配置して一体に組込んでいるものである。
　【０００３】
　【発明が解決しようとする課題】
　近時、光アンプの需要が高まるにつれ、小型化、高性能化を達成するために、様々な光受動部品の集積化が望まれている。
　しかしながら、従来例では、多くのコリメータ等の部品を必要とするので、小型化に限界があり、実装面積を小さくするのにさらなる構造の改善が必要となっていた。
　この発明の目的は、部品点数を少なくし、小型化を可能にすると共に実装面積を小さくすることにある。
　【０００４】
　【課題を解決するための手段】
　この発明の光部品は、一方の入射側光導波路に単一又は複数のポートとを備え、他方の出射側光導波路に少なくとも単一又は複数のポートを備えており、入出射側光導波路間に光路を入射側へ折り返すと共に入射光の一部を透過させる反射材料を配置してあり、この反射材料と上記入射側光導波路との間に第１のレンズを、上記反射材料と上記出射側光導波路との間に第２のレンズをそれぞれ配置してあり、上記第２のレンズと出射側光導波路との間に偏光無依存型の光アイソレータを配置している。上記反射材料としては、波長分波合波器や光分岐器等が使用される。小型化や実装面積を小さくする効果を高めるために、入射側光導波路における入射ポートと出射ポートとをファイバアレイで一体化する。
　この発明の光部品は、光アイソレータを備えている上記光部品に、複数の反射材料と３個以上のレンズを内蔵しているものである。このような光部品において、複数の反射材料が第１及び第２の反射材料からなり、レンズが第１、第２及び第３のレンズからなるものでは、上記入出射側光導波路間に上記第１及び第２の反射材料を配置し、両反射材料間に光アイソレータを配置し、上記入射側光導波路と上記第１の反射材料との間に第１のレンズを、上記第１の反射材料と光アイソレータとの間に第２のレンズを、上記第２の反射材料と出射側光導波路との間に第３のレンズをそれぞれ配置してある。
　【０００５】
　【発明の実施の形態】
　図１及び図２を参照して光部品Ａ１について説明する。
　一方（図左方）の光導波路１１は、２つのポート１１ａ，１１ｂを備えた入射側光導波路であり、ポート１１ａを入射ポート、ポート１１ｂを出射ポートとしている。他方の光導波路１２は、少なくとも１つのポート１２ｂを備えている出射側光導波路としている。入射ポート１１ａと出射ポート１１ｂとはファイバアレイ１３によって一体化されており、出射ポート１２ｂはファイバ端末１４に組み込まれている。各光導波路１１，１２はいずれも例えば石英系光ファイバからなる。
　入出射側光導波路１１，１２間に反射材料２１を配置してある。この反射材料は、光路を入射側光導波路１１に折り返すと共に入射光の一部を透過させるものである。そして反射材料２１と入射側光導波路１１との間に第１のレンズ３１を、反射材料と出射側光導波路１２との間に第２のレンズ３２をそれぞれ配置してある。
　反射材料２１は、例えば波長分波合波器や光分岐器等が使用される。
　反射材料２１に例えば波長分波合波器が用いられた場合には、入射側光導波路１１の入射ポート１１ａから第１のレンズ３１に入った信号光は反射材料２１でその波長により分波されて、それぞれの出射ポート１１ｂと出射ポート１２ｂとに出力される。この場合に、反射材料２１で分波された一方の例えば１５５０ｎｍ入力信号光はそのまま反射材料を透過して第２のレンズ３２を経て出射ポート１２ｂに出力され、そして他方の例えば９８０ｎｍ入力信号光は入射側光導波路１１に折り返されて、第１のレンズ３１で集光されて出射ポート１１ｂに出力される。
　なお、波長の組み合わせは上記の他に、例えば１，０２０／１，３１０ｎｍ，１，３１０／１，５５０ｎｍ，１，４８０／１，５５０ｎｍ等適宜である。
　反射材料２１に例えば光分岐器が用いられた場合には、入射側光導波路１１の入射ポート１１ａから第１のレンズ３１に入った光は反射材料２１で分配されて、それぞれの出射ポート１１ｂと出射ポート１２ｂとに出力される。この場合に、反射材料２１で分配された一方の例えば９９％入力信号光はそのまま反射材料を透過して第２のレンズ３２を経て出射ポート１２ｂに出力され、そして他方の例えば１％入力信号光は入射側光導波路１１に折り返されて、第１のレンズ３１で集光されて出射ポート１１ｂに出力される。
　なお、分配比率は、上記の他に、例えば５０：５０，９５：５等用途に応じて適宜決定される。
　図１の構成において、図右側を入射側として、光導波路１２を入射側光導波路として、反対側の光導波路１１を出射側光導波路としてもよい。
　【０００６】
　図３及び図４を参照して光部品Ａ２を説明する。
　この光部品は、光アイソレータを備えている点で、図１に示す光部品Ａ１の構成と相違しているが、その他は同一構成である。このために、符号を図１のものと一致させて対応関係を明確にしている。
　この実施の形態では、偏光無依存型光アイソレータ４１を反射材料２１と出射側光導波路１２の端末１４との間に配置している。
　この発明の実施の形態においても、反射材料２１として例えば波長分波合波器や光分岐器等を使用することにより、入射側光導波路１１の入射ポート１１ａから第１のレンズ３１に入った信号光を反射材料２１で波長により分波されるかまたは分配されて、出射ポート１１ｂと出射ポート１２ｂとからそれぞれ出力可能である。
　図３の構成において、図右側を入射側として、光導波路１２を入射側光導波路として、反対側の光導波路１１を出射側光導波路としてもよい。この場合には、光の進行方向が反対になるから、光アイソレータの構成部材の配列を光アイソレータ４１の構成部材の配列とは逆にする。
　【０００７】
　図５及び図６を参照して光部品Ａ３を説明する。
　この光部品は、複数の反射材料及び３個以上のレンズを備えている点で、図３に示す光部品Ａ２の構成と相違しているが、その他は同一構成である。このために、符号を図３のものと一致させて対応関係を明確にしている。
　図面では、第１の反射材料２１とは別に第２の反射材料２２を光アイソレータ４１と出射側光導波路１２との間に、そして第３のレンズ３３を第２の反射材料２２と出射側光導波路１２との間にそれぞれ配置している。また図面では、第２の反射材料２２を挟んで上下の位置に光半導体であるフォトダイオード５１，５２を設けている。
　【０００８】
　図７は光アンプの構成図を示しており、その前段のモジュールに用いられている光部品は、光部品Ａ３の他の実施の形態の光部品Ａ４を示し、後段のモジュールに用いられている光部品は、図５に示す光部品Ａ３を示すものである。
　光部品Ａ４ではその構成素子が、光部品Ａ３の構成素子１１（１１ａ，１１ｂ），３１，２１，３２，４１，２２，３３，１２（１２ｂ）とは配置の順序が逆となっている。すなわち、光部品Ａ４では、一方の単一の入射ポート１１ａから他方の複数の出射ポート１２ａ，１２ｂに向けて、光分岐器からなる反射材料２２、光アイソレータ４１、波長分波結合器からなる反射材料２１を順次配置してある。光アイソレータ４１は、光部品Ａ２の光アイソレータと信号光の進行方向が逆となるから、構成部材の配置順序を逆にしたものを使用する。この図において、各レンズは省略している。
　光部品Ａ４では、光部品Ａ３のフォトダイオード５１を取り外している。
　作用を説明すると、信号光が前段モジュールを構成している光部品Ａ４内を通過して反射材料２１を透過し、信号光出射ポート１２ａを出射する信号光は、この時励起光出射ポート１２ｂから出射する励起光と合流して後段モジュールの光部品Ａ３の信号光入射ポート１１ａに進む。そしてこの信号光は、波長分波結合器からなる反射材料２１を透過するが、励起光出射ポート１１ｂから出射する励起光は前段のモジュール側へ移行する。信号光は、光アイソレータ４１，光分岐器からなる反射材料２２を透過して信号光出射ポート１２ａに進む。
　【０００９】
　図８を参照して光部品Ａ５を説明する。
　この光部品は、３枚のレンズを備えている点で、図３に示す光部品Ａ２の構成と相違しているが、その他は同一構成である。このために、符号を図３のものと一致させて対応関係を明確にしている。
　図示の例では、光アイソレータ４１と出射側光導波路１２との間にレンズ３３を使用し、レンズは上述したように、光部品Ａ５全体として３枚用いており、これらのレンズを図左側から右側に向けて第１，第２，第３のレンズ３１，３２，３３として配置している。そして入射側光導波路１１と出射側光導波路１２との間には図左側から右側に向けて第１，第２のレンズ３１，３２間に第１の反射材料２１を、そして第２，第３のレンズ３２，３３間に光アイソレータ４１をそれぞれ配置している。
　【００１０】
　【発明の効果】
　この発明によれば、従来例に比較して全体として部品点数を減らすことができるので、小型化を図ることができると共に、実装面積を小さくすることができ、特に入射側の入射ポートと出射ポートとをファイバアレイを介して一体化することにより、上記効果がより一層達成される。
【図面の簡単な説明】
　【図１】
　この発明の実施の形態を示す構成図である。
　【図２】
　使用状態を示す正面図である。
　【図３】
　この発明の他の実施の形態を示す構成図である。
　【図４】
　使用状態を示す正面図である。
　【図５】
　この発明のさらに他の実施の形態を示す構成図である。
　【図６】
　使用状態を示す正面図である。
　【図７】
　光アンプに使用している状態を示す構成図である。
　【図８】
　この発明のさらに他の実施の形態を示す構成図である。
　【符号の説明】
　Ａ２　　　　光部品
　Ａ３　　　　光部品
　Ａ４　　　　光部品
　Ａ５　　　　光部品
　１１　　　　入射側光導波路
　１１ａ　　　入射ポート
　１１ｂ　　　出射ポート
　１２　　　　出射側光導波路
　１２ａ　　　出射ポート
　１２ｂ　　　出射ポート
　２１　　　　第１の反射材料（反射材料）
　２２　　　　第２の反射材料
　３１　　　　第１のレンズ
　３２　　　　第２のレンズ
　３３　　　　第３のレンズ
　４１　　　　光アイソレータ
　５１　　　　フォトダイオード（光半導体）
　５２　　　　フォトダイオード（光半導体）